【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
被包装物を収容した収容体と、該収容体に形成される該被包装物を取り出す取出口を覆うように固着された被覆シートと、該被覆シートに形成される該被包装物を取り出す取出口を覆うように該被覆シートの上面に貼付されたリシールラベルとを備えた包装体であって、
前記包装体は、前記リシールラベルの開閉方向である第１方向と、該第１方向に直交する第２方向を有し、
前記リシールラベルは、前記第１方向の一端部側に前記被覆シートに固定された固定部と、該第１方向の他端部側から該固定部に向かって剥離して立ち上げ可能なリシール部とを有し、
前記収容体は、その上面に、前記収容体の取出口を形成する収容体切断線を有し、該収容体切断線は、前記リシールラベルの前記固定部側から該リシールラベルの前記他端部側に凸に形成されており、
前記被覆シートは、前記収容体切断線の外方に、前記被覆シートの取出口を形成する前記リシールラベルの前記固定部側から該リシールラベルの前記他端部側に凸に形成された被覆シート切断線を有しており、
前記被覆シートは、その収容体側の面に、前記被覆シート切断線を含む帯状の非粘着部が、該被覆シート切断線に沿って形成されており、
前記被包装物を取り出す際に前記リシールラベルの前記リシール部を立ち上げると、該リシール部の根元部分が、前記リシールラベルと、該リシールラベルに固着され前記被覆シート切断線で切り離される前記被覆シートの切離片と、及び該被覆シートの切離片に固着され前記収容体切断線で切り離される前記収容体の切離片との三層部を有する包装体。
【請求項２】
前記収容体切断線の両端部それぞれには、裂け止まり部が形成されている請求項１に記載の包装体。
【請求項３】
前記被覆シートは、前記被覆シート切断線の両端部それぞれに、裂け止まり部が形成されている請求項１又は２に記載の包装体。
【請求項４】
前記収容体切断線の裂け止まり部、または前記被覆シートの裂け止まり部は、円弧状に形成されている請求項２又は３に記載の包装体。
【請求項５】
前記収容体切断線の両端部の位置が、前記被覆シート切断線の両端部の位置と一致している請求項１〜４の何れか１項に記載の包装体。
【請求項６】
前記収容体切断線は、その両端部の位置が、前記被覆シート切断線の両端部の位置よりも前記リシールラベルの一端部側に配されている請求項１〜４の何れか１項に記載の包装体。
【請求項７】
前記リシールラベルは、その一端部側に、一対の切り込み部を有している請求項１〜６の何れか１項に記載の包装体。
【手続補正２】
【補正対象書類名】明細書
【補正対象項目名】００１４
【補正方法】変更
【補正の内容】
【００１４】
包装体１は、後述するリシールラベル５のリシール部５２を剥がすことにより、収容体３の取出口３１及び被覆シート４の取出口４１を開封して、収容体３に収容された積層状態のウェットシート２を、収容体３の取出口３１及び被覆シート４の取出口４１を介して、例えば１枚ずつ順次取り出すことができるようにしたものである。
本実施形態の包装体１は、リシールラベル５の開封および密閉を繰り返す開閉方向である第１方向（各図中のＹ方向）と、第１方向と直交する方向を第２方向（各図中のＸ方向）とを有する。開閉方向のうち、開封する方向はリシールラベル５の１８０°剥離を行う方向を意味する。本実施形態の包装体１は、ウェットシート２を取り出す前の状態においては、平面視して図中のＹ方向に長い矩形状のものである。なお、包装体１、収容体３、被覆シート４、リシールラベル５はＹ方向に長い形状として説明したが、Ｙ方向とＸ方向とが同じ長さでもよく、Ｘ方向の方がＹ方向より長い形状でもよい。
【手続補正３】
【補正対象書類名】明細書
【補正対象項目名】００１５
【補正方法】変更
【補正の内容】
【００１５】
リシールラベル５は、第１方向（Ｙ方向）の一端部５ｅ側に被覆シート４に固定された固定部５１と、第１方向（Ｙ方向）の他端部５ｆ側から固定部５１に向かって剥離して立ち上げ可能なリシール部５２とを有している。リシールラベル５は、リシールラベル５の他端部５ｆ側から一端部５ｅ側の固定部５１に向かって開封される。従って、リシールラベル５の開閉方向は、リシールラベル５の他端部５ｆ側から一端部５ｅ側の固定部５１に向かう方向と同じである。また、リシールラベル５の開封は、リシールラベル５の他端部５ｆ側から一端部５ｅ側に向かって行うため、便宜的にリシールラベル５の他端部５ｆ側を「第１方向（Ｙ方向）前方」ともいい、リシールラベル５の一端部５ｅ側を「第１方向（Ｙ方向）後方」ともいう。図４には、図１に示す包装体１の備えるリシールラベル５の平面図が示されている。リシールラベル５は、図３に示すように、後述する被覆シート４の取出口４１を覆う大きさを有し、図４に示すように、第１方向（Ｙ方向）の前端縁５ａ及び後端縁５ｂを有している。ここで、前端縁５ａは、図４に示すように、他端部５ｆにおける第１方向（Ｙ方向）の前方縁を意味し、リシールラベル５の第１方向（Ｙ方向）の前方側の輪郭を示している。また、後端縁５ｂは、一端部５ｅにおける第１方向（Ｙ方向）の後方縁を意味し、リシールラベル５の第１方向（Ｙ方向）の後方側の輪郭を示している。前端縁５ａは、図４に示すように、第１方向（Ｙ方向）外方（固定部５１と反対側に向かう方向）に向かって凸に形成されており、第２方向（Ｘ方向）中央部において、更に第１方向（Ｙ方向）外方に向かって凸の円弧状に形成されている。該円弧状の部分は、リシール部５２を剥がす（開封する）際に摘む摘み部５３となる。後端縁５ｂは、図４に示すように、第２方向（Ｘ方向）に向けて直線状に延びている。前端縁５ａの第２方向（Ｘ方向）の長さと後端縁５ｂの第２方向（Ｘ方向）の長さとは同じである。
【手続補正４】
【補正対象書類名】明細書
【補正対象項目名】００６４
【補正方法】変更
【補正の内容】
【００６４】
＜１＞被包装物を収容した収容体と、該収容体に形成される該被包装物を取り出す取出口を覆うように固着された被覆シートと、該被覆シートに形成される該被包装物を取り出す取出口を覆うように該被覆シートの上面に貼付されたリシールラベルとを備えた包装体であって、
前記包装体は、前記リシールラベルの開閉方向である第１方向と、該第１方向に直交する第２方向を有し、
前記リシールラベルは、前記第１方向の一端部側に前記被覆シートに固定された固定部と、該第１方向の他端部側から該固定部に向かって剥離して立ち上げ可能なリシール部とを有し、
前記収容体は、その上面に、前記収容体の取出口を形成する収容体切断線を有し、該収容体切断線は、前記リシールラベルの前記固定部側から該リシールラベルの前記他端部側に凸に形成されており、
前記被覆シートは、前記収容体切断線の外方に、前記被覆シートの取出口を形成する前記リシールラベルの前記固定部側から該リシールラベルの前記他端部側に凸に形成された被覆シート切断線を有しており、
前記被包装物を取り出す際に前記リシールラベルの前記リシール部を立ち上げると、該リシール部の根元部分が、前記リシールラベルと、該リシールラベルに固着され前記被覆シート切断線で切り離される前記被覆シートの切離片と、及び該被覆シートの切離片に固着され前記収容体切断線で切り離される前記収容体の切離片との三層部を有する包装体。
【手続補正５】
【補正対象書類名】明細書
【補正対象項目名】００６７
【補正方法】変更
【補正の内容】
【００６７】
＜２０＞被包装物を収容した収容体と、該収容体に該被包装物を取り出す取出口を覆うように収容体上面に貼付されたリシールラベルとを備えた包装体であって、
前記包装体は、前記リシールラベルの開閉方向である第１方向と、該第１方向に直交する第２方向を有し、
前記リシールラベルは、前記第１方向の一端部側に前記被覆シートに固定された固定部と、前記第１方向の他端部側から該固定部に向かって剥離して立ち上げ可能なリシール部とを有し、
前記収容体は、その上面に、前記収容体の取出口を形成する収容体切断線を有し、該収容体切断線は、前記リシールラベルの前記固定部側から該リシールラベルの前記他端部側に凸に形成されており、
前記被包装物を取り出す際に前記リシールラベルの前記リシール部を立ち上げると、該リシール部の根元部分が、前記リシールラベルと、前記収容体切断線で切り離される前記収容体の切離片とのニ層部を有し、
前記収容体切断線の両端部それぞれには、裂け止まり部が形成されている包装体。